(57)【要約】【課題】マルチセッションディスクにおいて音声サーチ動作を行う場合、セッション−セッション間にあるギャップギャップ部分のデータを再生出力してしまい、ノイズによる異常音が出力される。【解決手段】マルチセッションディスクにおいて、あるセッションでのサーチ動作中に、セッション最後のオーディオファイルのサーチが終了したかを判断する手段（ステップＳ１１）と、前記判断でサーチ終了のときに、光ピックアップ１１を所要の強制移動時間Ｔだけディスク半径方向に沿って強制移動させる手段（ステップＳ１２，Ｓ１３）と、前記強制移動の終了後に、別フォーマットの次セッションでサーチ動作を再開する手段（ステップＳ１４〜Ｓ１６）とを備え、前記強制移動時間Ｔだけ光ピックアップ１１を強制移動させることにより、セッション間ギャップＧをジャンプし、異常音が出力されないようにする。【選択図】  図１
2005025846.tif 000002
【特許請求の範囲】
【請求項１】
マルチセッションディスクにおいてオーディオファイルの頭出しを行う音声サーチ制御装置であって、
あるセッションでのサーチ動作中に、セッション最後のオーディオファイルのサーチが終了したかを判断する手段と、
前記判断でサーチ終了のときに、ピックアップを所要の強制移動時間だけディスク半径方向に沿って強制移動させる手段と、
前記強制移動の終了後に、別フォーマットの次セッションでサーチ動作を再開する手段とを備えたマルチセッションディスクの音声サーチ制御装置。
【請求項２】
マルチセッションディスクにおいてオーディオファイルの頭出しを行う音声サーチ制御装置であって、
あるセッションでのサーチ動作中に、セッション最後のオーディオファイルのサーチが終了したかを判断する手段と、
前記判断でサーチ終了のときに、前記ディスク上におけるピックアップの位置情報に基づいて、その位置情報に対応する最適の強制移動時間を求める手段と、
前記ピックアップを前記最適の強制移動時間だけディスク半径方向に沿って強制移動させる手段と、
前記強制移動の終了後に、別フォーマットの次セッションでサーチ動作を再開する手段とを備えたマルチセッションディスクの音声サーチ制御装置。
【請求項３】
マルチセッションディスクにおいてオーディオファイルの頭出しを行う音声サーチ制御装置であって、
あるセッションでのサーチ動作中に、セッション最後のオーディオファイルのサーチが終了したかを判断する手段と、
前記判断でサーチ終了のときに、ピックアップを所要のジャンプトラック数だけディスク半径方向に沿ってトラックジャンプさせる手段と、
前記トラックジャンプの終了後に、別フォーマットの次セッションでサーチ動作を再開する手段とを備えたマルチセッションディスクの音声サーチ制御装置。
【請求項４】
マルチセッションディスクにおいてオーディオファイルの頭出しを行う音声サーチ制御装置であって、
あるセッションでのサーチ動作中に、セッション最後のオーディオファイルのサーチが終了したかを判断する手段と、
前記判断でサーチ終了のときに、前記ディスク上におけるピックアップの位置情報に基づいて、その位置情報に対応する最適のジャンプトラック数を求める手段と、
前記ピックアップを前記最適のジャンプトラック数だけディスク半径方向に沿ってトラックジャンプさせる手段と、
前記トラックジャンプの終了後に、別フォーマットの次セッションでサーチ動作を再開する手段とを備えたマルチセッションディスクの音声サーチ制御装置。
【請求項５】
マルチセッションディスクにおいてオーディオファイルの頭出しを行う音声サーチ制御装置であって、
あるセッションでのサーチ動作中に、セッション最後のオーディオファイルのサーチが終了したかを判断する手段と、
前記判断でサーチ終了のときに、ピックアップを所要のジャンプトラック数だけディスク半径方向に沿ってトラックジャンプさせる手段と、
前記トラックジャンプが成功したかを判断する手段と、
前記トラックジャンプの失敗のときに前記ピックアップを所要の強制移動時間だけディスク半径方向に沿って強制移動させる手段と、
前記トラックジャンプの成功または前記強制移動の終了のときに、別フォーマットの次セッションでサーチ動作を再開する手段とを備えたマルチセッションディスクの音声サーチ制御装置。
【請求項６】
マルチセッションディスクにおいてオーディオファイルの頭出しを行う音声サーチ制御装置であって、
あるセッションでのサーチ動作中に、セッション最後のオーディオファイルのサーチが終了したかを判断する手段と、
前記判断でサーチ終了のときに、前記ディスク上におけるピックアップの位置情報に基づいて、その位置情報に対応する最適のジャンプトラック数を求める手段と、
前記ピックアップを前記最適のジャンプトラック数だけディスク半径方向に沿ってトラックジャンプさせる手段と、
前記トラックジャンプが成功したかを判断する手段と、
前記トラックジャンプの失敗のときに、前記ディスク上におけるピックアップの位置情報に基づいて、その位置情報に対応する最適の強制移動時間を求める手段と、
前記ピックアップを前記最適の強制移動時間だけディスク半径方向に沿って強制移動させる手段と、
前記トラックジャンプの成功または前記強制移動の終了のときに、別フォーマットの次セッションでサーチ動作を再開する手段とを備えたマルチセッションディスクの音声サーチ制御装置。
【請求項７】
マルチセッションディスクにおいてオーディオファイルの頭出しを行う音声サーチ制御装置であって、
あるセッションでのサーチ動作中に、セッション最後のオーディオファイルのサーチが終了したかを判断する手段と、
前記判断でサーチ終了のときに、ピックアップを所要のジャンプトラック数だけディスク半径方向に沿ってトラックジャンプさせる手段と、
前記トラックジャンプが成功したかを判断する手段と、
前記トラックジャンプの失敗のときに、前記ディスク上におけるピックアップの位置情報に基づいて、その位置情報に対応する最適の強制移動時間を求める手段と、
前記ピックアップを前記最適の強制移動時間だけディスク半径方向に沿って強制移動させる手段と、
前記トラックジャンプの成功または前記強制移動の終了のときに、別フォーマットの次セッションでサーチ動作を再開する手段とを備えたマルチセッションディスクの音声サーチ制御装置。
【請求項８】
マルチセッションディスクにおいてオーディオファイルの頭出しを行う音声サーチ制御装置であって、
あるセッションでのサーチ動作中に、セッション最後のオーディオファイルのサーチが終了したかを判断する手段と、
前記判断でサーチ終了のときに、前記ディスク上におけるピックアップの位置情報に基づいて、その位置情報に対応する最適のジャンプトラック数を求める手段と、
前記ピックアップを前記最適のジャンプトラック数だけディスク半径方向に沿ってトラックジャンプさせる手段と、
前記トラックジャンプが成功したかを判断する手段と、
前記トラックジャンプの失敗のときに前記ピックアップを所要の強制移動時間だけディスク半径方向に沿って強制移動させる手段と、
前記トラックジャンプの成功または前記強制移動の終了のときに、別フォーマットの次セッションでサーチ動作を再開する手段とを備えたマルチセッションディスクの音声サーチ制御装置。
【請求項９】
請求項５から請求項８までのいずれかに記載の音声サーチ制御装置において、さらに、前記トラックジャンプの失敗のときに、前記トックジャンプのリトライ処理を行う手段を備えたマルチセッションディスクの音声サーチ制御装置。
【請求項１０】
マルチセッションディスクにおいてオーディオファイルの頭出しを行う音声サーチ制御方法であって、
あるセッションでのサーチ動作中に、セッション最後のオーディオファイルのサーチが終了したかを判断するステップと、
前記判断でサーチ終了のときに、ピックアップを所要の強制移動時間だけディスク半径方向に沿って強制移動させるステップと、
前記強制移動の終了後に、別フォーマットの次セッションでサーチ動作を再開するステップとを含むマルチセッションディスクの音声サーチ制御方法。
【請求項１１】
マルチセッションディスクにおいてオーディオファイルの頭出しを行う音声サーチ制御方法であって、
あるセッションでのサーチ動作中に、セッション最後のオーディオファイルのサーチが終了したかを判断するステップと、
前記判断でサーチ終了のときに、前記ディスク上におけるピックアップの位置情報に基づいて、その位置情報に対応する最適の強制移動時間を求めるステップと、
前記ピックアップを前記最適の強制移動時間だけディスク半径方向に沿って強制移動させるステップと、
前記強制移動の終了後に、別フォーマットの次セッションでサーチ動作を再開するステップとを含むマルチセッションディスクの音声サーチ制御方法。
【請求項１２】
マルチセッションディスクにおいてオーディオファイルの頭出しを行う音声サーチ制御方法であって、
あるセッションでのサーチ動作中に、セッション最後のオーディオファイルのサーチが終了したかを判断するステップと、
前記判断でサーチ終了のときに、ピックアップを所要のジャンプトラック数だけディスク半径方向に沿ってトラックジャンプさせるステップと、
前記トラックジャンプの終了後に、別フォーマットの次セッションでサーチ動作を再開するステップとを含むマルチセッションディスクの音声サーチ制御方法。
【請求項１３】
マルチセッションディスクにおいてオーディオファイルの頭出しを行う音声サーチ制御方法であって、
あるセッションでのサーチ動作中に、セッション最後のオーディオファイルのサーチが終了したかを判断するステップと、
前記判断でサーチ終了のときに、前記ディスク上におけるピックアップの位置情報に基づいて、その位置情報に対応する最適のジャンプトラック数を求めるステップと、
前記ピックアップを前記最適のジャンプトラック数だけディスク半径方向に沿ってトラックジャンプさせるステップと、
前記トラックジャンプの終了後に、別フォーマットの次セッションでサーチ動作を再開するステップとを含むマルチセッションディスクの音声サーチ制御方法。
【請求項１４】
マルチセッションディスクにおいてオーディオファイルの頭出しを行う音声サーチ制御方法であって、
あるセッションでのサーチ動作中に、セッション最後のオーディオファイルのサーチが終了したかを判断するステップと、
前記判断でサーチ終了のときに、ピックアップを所要のジャンプトラック数だけディスク半径方向に沿ってトラックジャンプさせるステップと、
前記トラックジャンプが成功したかを判断するステップと、
前記トラックジャンプの失敗のときに前記ピックアップを所要の強制移動時間だけディスク半径方向に沿って強制移動させるステップと、
前記トラックジャンプの成功または前記強制移動の終了のときに、別フォーマットの次セッションでサーチ動作を再開するステップとを含むマルチセッションディスクの音声サーチ制御方法。
【請求項１５】
マルチセッションディスクにおいてオーディオファイルの頭出しを行う音声サーチ制御方法であって、
あるセッションでのサーチ動作中に、セッション最後のオーディオファイルのサーチが終了したかを判断するステップと、
前記判断でサーチ終了のときに、前記ディスク上におけるピックアップの位置情報に基づいて、その位置情報に対応する最適のジャンプトラック数を求めるステップと、
前記ピックアップを前記最適のジャンプトラック数だけディスク半径方向に沿ってトラックジャンプさせるステップと、
前記トラックジャンプが成功したかを判断するステップと、
前記トラックジャンプの失敗のときに、前記ディスク上におけるピックアップの位置情報に基づいて、その位置情報に対応する最適の強制移動時間を求めるステップと、
前記ピックアップを前記最適の強制移動時間だけディスク半径方向に沿って強制移動させるステップと、
前記トラックジャンプの成功または前記強制移動の終了のときに、別フォーマットの次セッションでサーチ動作を再開するステップとを含むマルチセッションディスクの音声サーチ制御方法。
【請求項１６】
マルチセッションディスクにおいてオーディオファイルの頭出しを行う音声サーチ制御方法であって、
あるセッションでのサーチ動作中に、セッション最後のオーディオファイルのサーチが終了したかを判断するステップと、
前記判断でサーチ終了のときに、ピックアップを所要のジャンプトラック数だけディスク半径方向に沿ってトラックジャンプさせるステップと、
前記トラックジャンプが成功したかを判断するステップと、
前記トラックジャンプの失敗のときに、前記ディスク上におけるピックアップの位置情報に基づいて、その位置情報に対応する最適の強制移動時間を求めるステップと、
前記ピックアップを前記最適の強制移動時間だけディスク半径方向に沿って強制移動させるステップと、
前記トラックジャンプの成功または前記強制移動の終了のときに、別フォーマットの次セッションでサーチ動作を再開するステップとを含むマルチセッションディスクの音声サーチ制御方法。
【請求項１７】
マルチセッションディスクにおいてオーディオファイルの頭出しを行う音声サーチ制御方法であって、
あるセッションでのサーチ動作中に、セッション最後のオーディオファイルのサーチが終了したかを判断するステップと、
前記判断でサーチ終了のときに、前記ディスク上におけるピックアップの位置情報に基づいて、その位置情報に対応する最適のジャンプトラック数を求めるステップと、
前記ピックアップを前記最適のジャンプトラック数だけディスク半径方向に沿ってトラックジャンプさせるステップと、
前記トラックジャンプが成功したかを判断するステップと、
前記トラックジャンプの失敗のときに前記ピックアップを所要の強制移動時間だけディスク半径方向に沿って強制移動させるステップと、
前記トラックジャンプの成功または前記強制移動の終了のときに、別フォーマットの次セッションでサーチ動作を再開するステップとを含むマルチセッションディスクの音声サーチ制御方法。
【請求項１８】
請求項１４から請求項１７までのいずれかに記載の音声サーチ制御方法において、さらに、前記トラックジャンプの失敗のときに、前記トックジャンプのリトライ処理を行うステップを有するマルチセッションディスクの音声サーチ制御方法。
【請求項１９】
コンピュータに、
マルチセッションディスクのあるセッションにおいてオーディオファイル頭出しのための音声サーチ動作中に、セッション最後のオーディオファイルのサーチが終了したかを判断するステップと、
前記判断でサーチ終了のときに、ピックアップを所要の強制移動時間だけディスク半径方向に沿って強制移動させるステップと、
前記強制移動の終了後に、別フォーマットの次セッションでサーチ動作を再開するステップと
を実行させるためのプログラムを記録したコンピュータ読み取り可能なマルチセッションディスクの音声サーチ制御用記録媒体。
【請求項２０】
コンピュータに、
マルチセッションディスクのあるセッションにおいてオーディオファイル頭出しのための音声サーチ動作中に、セッション最後のオーディオファイルのサーチが終了したかを判断するステップと、
前記判断でサーチ終了のときに、前記ディスク上におけるピックアップの位置情報に基づいて、その位置情報に対応する最適の強制移動時間を求めるステップと、
前記ピックアップを前記最適の強制移動時間だけディスク半径方向に沿って強制移動させるステップと、
前記強制移動の終了後に、別フォーマットの次セッションでサーチ動作を再開するステップと
を実行させるためのプログラムを記録したコンピュータ読み取り可能なマルチセッションディスクの音声サーチ制御用記録媒体。
【請求項２１】
コンピュータに、
マルチセッションディスクのあるセッションにおいてオーディオファイル頭出しのための音声サーチ動作中に、セッション最後のオーディオファイルのサーチが終了したかを判断するステップと、
前記判断でサーチ終了のときに、ピックアップを所要のジャンプトラック数だけディスク半径方向に沿ってトラックジャンプさせるステップと、
前記トラックジャンプの終了後に、別フォーマットの次セッションでサーチ動作を再開するステップと
を実行させるためのプログラムを記録したコンピュータ読み取り可能なマルチセッションディスクの音声サーチ制御用記録媒体。
【請求項２２】
コンピュータに、
マルチセッションディスクのあるセッションにおいてオーディオファイル頭出しのための音声サーチ動作中に、セッション最後のオーディオファイルのサーチが終了したかを判断するステップと、
前記判断でサーチ終了のときに、前記ディスク上におけるピックアップの位置情報に基づいて、その位置情報に対応する最適のジャンプトラック数を求めるステップと、
前記ピックアップを前記最適のジャンプトラック数だけディスク半径方向に沿ってトラックジャンプさせるステップと、
前記トラックジャンプの終了後に、別フォーマットの次セッションでサーチ動作を再開するステップと
を実行させるためのプログラムを記録したコンピュータ読み取り可能なマルチセッションディスクの音声サーチ制御用記録媒体。
【請求項２３】
コンピュータに、
マルチセッションディスクのあるセッションにおいてオーディオファイル頭出しのための音声サーチ動作中に、セッション最後のオーディオファイルのサーチが終了したかを判断するステップと、
前記判断でサーチ終了のときに、ピックアップを所要のジャンプトラック数だけディスク半径方向に沿ってトラックジャンプさせるステップと、
前記トラックジャンプが成功したかを判断するステップと、
前記トラックジャンプの失敗のときに前記ピックアップを所要の強制移動時間だけディスク半径方向に沿って強制移動させるステップと、
前記トラックジャンプの成功または前記強制移動の終了のときに、別フォーマットの次セッションでサーチ動作を再開するステップと
を実行させるためのプログラムを記録したコンピュータ読み取り可能なマルチセッションディスクの音声サーチ制御用記録媒体。
【請求項２４】
コンピュータに、
マルチセッションディスクのあるセッションにおいてオーディオファイル頭出しのための音声サーチ動作中に、セッション最後のオーディオファイルのサーチが終了したかを判断するステップと、
前記判断でサーチ終了のときに、前記ディスク上におけるピックアップの位置情報に基づいて、その位置情報に対応する最適のジャンプトラック数を求めるステップと、
前記ピックアップを前記最適のジャンプトラック数だけディスク半径方向に沿ってトラックジャンプさせるステップと、
前記トラックジャンプが成功したかを判断するステップと、
前記トラックジャンプの失敗のときに、前記ディスク上におけるピックアップの位置情報に基づいて、その位置情報に対応する最適の強制移動時間を求めるステップと、
前記ピックアップを前記最適の強制移動時間だけディスク半径方向に沿って強制移動させるステップと、
前記トラックジャンプの成功または前記強制移動の終了のときに、別フォーマットの次セッションでサーチ動作を再開するステップと
を実行させるためのプログラムを記録したコンピュータ読み取り可能なマルチセッションディスクの音声サーチ制御用記録媒体。
【請求項２５】
コンピュータに、
あるセッションでのサーチ動作中に、セッション最後のオーディオファイルのサーチが終了したかを判断するステップと、
前記判断でサーチ終了のときに、ピックアップを所要のジャンプトラック数だけディスク半径方向に沿ってトラックジャンプさせるステップと、
前記トラックジャンプが成功したかを判断するステップと、
前記トラックジャンプの失敗のときに、前記ディスク上におけるピックアップの位置情報に基づいて、その位置情報に対応する最適の強制移動時間を求めるステップと、
前記ピックアップを前記最適の強制移動時間だけディスク半径方向に沿って強制移動させるステップと、
前記トラックジャンプの成功または前記強制移動の終了のときに、別フォーマットの次セッションでサーチ動作を再開するステップと
を実行させるためのプログラムを記録したコンピュータ読み取り可能なマルチセッションディスクの音声サーチ制御用記録媒体。
【請求項２６】
コンピュータに、
あるセッションでのサーチ動作中に、セッション最後のオーディオファイルのサーチが終了したかを判断するステップと、
前記判断でサーチ終了のときに、前記ディスク上におけるピックアップの位置情報に基づいて、その位置情報に対応する最適のジャンプトラック数を求めるステップと、
前記ピックアップを前記最適のジャンプトラック数だけディスク半径方向に沿ってトラックジャンプさせるステップと、
前記トラックジャンプが成功したかを判断するステップと、
前記トラックジャンプの失敗のときに前記ピックアップを所要の強制移動時間だけディスク半径方向に沿って強制移動させるステップと、
前記トラックジャンプの成功または前記強制移動の終了のときに、別フォーマットの次セッションでサーチ動作を再開するステップと
を実行させるためのプログラムを記録したコンピュータ読み取り可能なマルチセッションディスクの音声サーチ制御用記録媒体。
【請求項２７】
請求項２３から請求項２６までのいずれかに記載のに記載の記録媒体において、さらに、前記トラックジャンプの失敗のときに、前記トックジャンプのリトライ処理を行うステップを実行させるためのプログラムを記録したコンピュータ読み取り可能なマルチセッションディスクの音声サーチ制御用記録媒体。
【請求項２８】
マルチセッションディスクにおいてオーディオファイルの頭出しを行う音声サーチ制御のために、コンピュータを、
マルチセッションディスクのあるセッションにおいてオーディオファイル頭出しのための音声サーチ動作中に、セッション最後のオーディオファイルのサーチが終了したかを判断する手段、
前記判断でサーチ終了のときに、ピックアップを所要の強制移動時間だけディスク半径方向に沿って強制移動させる手段、および、
前記強制移動の終了後に、別フォーマットの次セッションでサーチ動作を再開する手段、
として機能させるためのマルチセッションディスクの音声サーチ制御用プログラム。
【請求項２９】
マルチセッションディスクにおいてオーディオファイルの頭出しを行う音声サーチ制御のために、コンピュータを、
マルチセッションディスクのあるセッションにおいてオーディオファイル頭出しのための音声サーチ動作中に、セッション最後のオーディオファイルのサーチが終了したかを判断する手段、
前記判断でサーチ終了のときに、前記ディスク上におけるピックアップの位置情報に基づいて、その位置情報に対応する最適の強制移動時間を求める手段、
前記ピックアップを前記最適の強制移動時間だけディスク半径方向に沿って強制移動させる手段、および、
前記強制移動の終了後に、別フォーマットの次セッションでサーチ動作を再開する手段、
として機能させるためのマルチセッションディスクの音声サーチ制御用プログラム。
【請求項３０】
マルチセッションディスクにおいてオーディオファイルの頭出しを行う音声サーチ制御のために、コンピュータを、
マルチセッションディスクのあるセッションにおいてオーディオファイル頭出しのための音声サーチ動作中に、セッション最後のオーディオファイルのサーチが終了したかを判断する手段、
前記判断でサーチ終了のときに、ピックアップを所要のジャンプトラック数だけディスク半径方向に沿ってトラックジャンプさせる手段、および、
前記トラックジャンプの終了後に、別フォーマットの次セッションでサーチ動作を再開する手段、
として機能させるためのマルチセッションディスクの音声サーチ制御用プログラム。
【請求項３１】
マルチセッションディスクにおいてオーディオファイルの頭出しを行う音声サーチ制御のために、コンピュータを、
マルチセッションディスクのあるセッションにおいてオーディオファイル頭出しのための音声サーチ動作中に、セッション最後のオーディオファイルのサーチが終了したかを判断する手段、
前記判断でサーチ終了のときに、前記ディスク上におけるピックアップの位置情報に基づいて、その位置情報に対応する最適のジャンプトラック数を求める手段、
前記ピックアップを前記最適のジャンプトラック数だけディスク半径方向に沿ってトラックジャンプさせる手段、および、
前記トラックジャンプの終了後に、別フォーマットの次セッションでサーチ動作を再開する手段、
として機能させるためのマルチセッションディスクの音声サーチ制御用プログラム。
【請求項３２】
マルチセッションディスクにおいてオーディオファイルの頭出しを行う音声サーチ制御のために、コンピュータを、
マルチセッションディスクのあるセッションにおいてオーディオファイル頭出しのための音声サーチ動作中に、セッション最後のオーディオファイルのサーチが終了したかを判断する手段、
前記判断でサーチ終了のときに、ピックアップを所要のジャンプトラック数だけディスク半径方向に沿ってトラックジャンプさせる手段、
前記トラックジャンプが成功したかを判断する手段、
前記トラックジャンプの失敗のときに前記ピックアップを所要の強制移動時間だけディスク半径方向に沿って強制移動させる手段、および、
前記トラックジャンプの成功または前記強制移動の終了のときに、別フォーマットの次セッションでサーチ動作を再開する手段、
として機能させるためのマルチセッションディスクの音声サーチ制御用プログラム。
【請求項３３】
マルチセッションディスクにおいてオーディオファイルの頭出しを行う音声サーチ制御のために、コンピュータを、
マルチセッションディスクのあるセッションにおいてオーディオファイル頭出しのための音声サーチ動作中に、セッション最後のオーディオファイルのサーチが終了したかを判断する手段、
前記判断でサーチ終了のときに、前記ディスク上におけるピックアップの位置情報に基づいて、その位置情報に対応する最適のジャンプトラック数を求める手段、
前記ピックアップを前記最適のジャンプトラック数だけディスク半径方向に沿ってトラックジャンプさせる手段、
前記トラックジャンプが成功したかを判断する手段、
前記トラックジャンプの失敗のときに、前記ディスク上におけるピックアップの位置情報に基づいて、その位置情報に対応する最適の強制移動時間を求める手段、
前記ピックアップを前記最適の強制移動時間だけディスク半径方向に沿って強制移動させる手段、および、
前記トラックジャンプの成功または前記強制移動の終了のときに、別フォーマットの次セッションでサーチ動作を再開する手段、
として機能させるためのマルチセッションディスクの音声サーチ制御用プログラム。
【請求項３４】
マルチセッションディスクにおいてオーディオファイルの頭出しを行う音声サーチ制御のために、コンピュータを、
あるセッションでのサーチ動作中に、セッション最後のオーディオファイルのサーチが終了したかを判断する手段と、
前記判断でサーチ終了のときに、ピックアップを所要のジャンプトラック数だけディスク半径方向に沿ってトラックジャンプさせる手段と、
前記トラックジャンプが成功したかを判断する手段と、
前記トラックジャンプの失敗のときに、前記ディスク上におけるピックアップの位置情報に基づいて、その位置情報に対応する最適の強制移動時間を求める手段と、
前記ピックアップを前記最適の強制移動時間だけディスク半径方向に沿って強制移動させる手段と、
前記トラックジャンプの成功または前記強制移動の終了のときに、別フォーマットの次セッションでサーチ動作を再開する手段、
として機能させるためのマルチセッションディスクの音声サーチ制御用プログラム。
【請求項３５】
マルチセッションディスクにおいてオーディオファイルの頭出しを行う音声サーチ制御のために、コンピュータを、
あるセッションでのサーチ動作中に、セッション最後のオーディオファイルのサーチが終了したかを判断する手段と、
前記判断でサーチ終了のときに、前記ディスク上におけるピックアップの位置情報に基づいて、その位置情報に対応する最適のジャンプトラック数を求める手段と、
前記ピックアップを前記最適のジャンプトラック数だけディスク半径方向に沿ってトラックジャンプさせる手段と、
前記トラックジャンプが成功したかを判断する手段と、
前記トラックジャンプの失敗のときに前記ピックアップを所要の強制移動時間だけディスク半径方向に沿って強制移動させる手段と、
前記トラックジャンプの成功または前記強制移動の終了のときに、別フォーマットの次セッションでサーチ動作を再開する手段、
として機能させるためのマルチセッションディスクの音声サーチ制御用プログラム。
【請求項３６】
請求項３２から請求項３５までのいずれかに記載のプログラムにおいて、さらに、前記トラックジャンプの失敗のときに、前記トックジャンプのリトライ処理を行う手段として機能させるためのマルチセッションディスクの音声サーチ制御用プログラム。
【発明の詳細な説明】
【０００１】
【発明の属する技術分野】
本発明は、ＭＰ３（ＭＰｅｇ  ａｕｄｉｏ  ｌａｙｅｒ  ３）とＣＤ−ＤＡ（ＣｏｍｐａｃｔＤｉｓｃ  Ｄｉｇｉｔａｌ  Ａｕｄｉｏ）との異種フォーマットのオーディオファイルが混在するＣＤ（コンパクトディスク）等のように複数のセッションを有するマルチセッションディスクにおいてオーディオファイルの頭出しを行う音声サーチ技術に関する。より具体的には、音声サーチ制御装置、音声サーチ制御方法、コンピュータ読み取り可能な音声サーチ制御用記録媒体および音声サーチ制御用プログラム関する。
【０００２】
【従来の技術】
以下、従来技術について、図面を参照しながら説明する。
【０００３】
図１３は圧縮オーディオ対応の光ディスク再生装置のブロック図である。図１３において、１０は光ディスク、１１は光ピックアップ、１２は光ピックアップドライバ、１３はサーボＬＳＩ、１４はマイクロコンピュータ（マイコン）、１５は圧縮オーディオデコーダ、１６はメモリである。
【０００４】
図１３のブロック図を用いて従来の光ディスク装置について説明する。光ピックアップ１１と一体のレーザーから出射されたのレーザーが光ディスク１０で反射され、レンズを通して光ピックアップ１１に到達する。光ピックアップ１１はこれを電気信号に変換し、増幅した後、フォーカスエラー信号およびトラッキングエラー信号を生成し、信号処理を兼ねるサーボＬＳＩ１３に入力する。サーボＬＳＩ１３は、フォーカスエラー信号よりフォーカスサーボ処理を行い、ドライバ１２を通じて制御信号を増幅し、フォーカスモータを制御してレンズのフォーカス制御を行う。また、トラッキングエラー信号よりトラッキングサーボ及びトラバースサーボ処理を行い、ドライバ１２を通じて制御信号を増幅しトラッキング制御を行う。最後に、同期信号によりＣＬＶ（Ｃｏｎｓｔａｎｔ  Ｌｉｎｅａｒ  Ｖｅｌｏｃｉｔｙ）サーボ処理を行い、光ディスク１０を回転させるスピンドルモータ（図示省略）の回転数制御を行う。
【０００５】
サーボＬＳＩ１３における信号処理回路は、光ディスク１０から読み取った信号を復調し、メモリ１６に蓄積する。このとき、このメモリ１６に蓄積されたデータは、メモリ１６からＤＦ−ＤＡＣでＤＡ変換され、アナログ音声が出力される。また、圧縮オーディオについては、音楽情報のみをメモリ１６に蓄積する。メモリ１６に蓄積されたデータ部分が、メモリ１６から圧縮オーディオデコーダ１５にてデコードされ、ＤＦ−ＤＡＣでＤＡ変換され、アナログ音声が出力される。
【０００６】
従来の音声サーチ処理について図１４を使用して説明する。
【０００７】
ステップＳ７１において、マイコン１４は、現在再生中のセッションにおいて光ピックアップ１１が最後の圧縮オーディオファイルの終端に到達したかどうかを判断し、到達するのを待ってステップＳ７２に進む。
【０００８】
次いで、ステップＳ７２において、サーチ動作が終了したか否かの判断を行い、終了していないと判断したときは、ステップＳ７３に進んで、セッション最後の曲の最後で待機する。また、サーチ動作が終了したと判断したときは、ステップＳ７４に進んで、サーチ動作終了の処理を行う。
【０００９】
近年、様々なディスクフォーマットのデータを１枚の光ディスクに記録したマルチセッションディスクが登場している。マルチセッションディスクではセッション間にデータのギャップがある。図１５はマルチセッションディスクに記録されているデータの例を示す図である。ＭＰ３とＣＤ−ＤＡのフォーマットのデータが混在するマルチセッションディスクを例にとっている。図１５のようにマルチセッションディスクでは、ＭＰ３データからのリードアウト領域と、ＣＤ−ＤＡデータへのリードイン領域が設けられている。これらリードアウト領域ＲＯとリードイン領域ＲＩを合わせたものがセッション間ギャップＧである。
【００１０】
【特許文献１】
特開平１０−２２８７５４号公報（第２−４頁、第１−３図）
【００１１】
【発明が解決しようとする課題】
図１４に示す従来技術の音声サーチ方法をマルチセッションディスクに適用しても、セッション最後の曲の最後で待機してしまうことから、セッション間の音声サーチ処理ができない。
【００１２】
また、待機を解除して、引き続き同一方向にサーチさせるとすれば、セッション間ギャップＧ上の移動時に再生オーディオ信号にノイズが乗り、異常音が発生するという問題がある。
【００１３】
なお、特許文献１は、すべてのセッションのリードイン領域から順次にＴＯＣ（Ｔａｂｌｅｏｆ  Ｃｏｎｔｅｎｔｓ）を読み出してメモリに一時記憶させるセッションサーチに関する技術であり、音声サーチとは異なる技術である。
【００１４】
本発明は、上記の事情に鑑みて創作したものであり、マルチセッションディスクの音声サーチにおいて、セッション間ギャップを異常音なしに飛び越えさせることができるようにすることを目的としている。
【００１５】
【課題を解決するための手段】
上記の課題を解決するために、本発明は、複数のセッションを有するマルチセッションディスクにおいてオーディオファイルの頭出しを行う音声サーチ制御装置について、次のような手段を講じる。
【００１６】
第１の解決手段として、本発明によるマルチセッションディスクの音声サーチ制御装置は、あるセッションでのサーチ動作中に、セッション最後のオーディオファイルのサーチが終了したかを判断する手段と、前記判断でサーチ終了のときに、ピックアップを所要の強制移動時間だけディスク半径方向に沿って強制移動させる手段と、前記強制移動の終了後に、別フォーマットの次セッションでサーチ動作を再開する手段とを備えたものとして構成されている。
【００１７】
上記の第１の解決手段は、音声サーチ制御方法として、次のように展開することが可能である。本発明によるマルチセッションディスクの音声サーチ制御方法は、あるセッションでのサーチ動作中に、セッション最後のオーディオファイルのサーチが終了したかを判断するステップと、前記判断でサーチ終了のときに、ピックアップを所要の強制移動時間だけディスク半径方向に沿って強制移動させるステップと、前記強制移動の終了後に、別フォーマットの次セッションでサーチ動作を再開するステップとを含むものである。
【００１８】
上記の第１の解決手段は、コンピュータ読み取り可能な記録媒体として、次のように展開することが可能である。本発明によるマルチセッションディスクの音声サーチ制御用記録媒体は、コンピュータに、次の各ステップを実行させるためのプログラムを記録したものである。すなわち、マルチセッションディスクのあるセッションにおいてオーディオファイル頭出しのための音声サーチ動作中に、セッション最後のオーディオファイルのサーチが終了したかを判断するステップと、前記判断でサーチ終了のときに、ピックアップを所要の強制移動時間だけディスク半径方向に沿って強制移動させるステップと、前記強制移動の終了後に、別フォーマットの次セッションでサーチ動作を再開するステップとを実行させるためのプログラムを記録したものである。
【００１９】
上記の第１の解決手段は、音声サーチ制御用プログラムとして、次のように展開することが可能である。本発明によるマルチセッションディスクの音声サーチ制御用プログラムは、マルチセッションディスクにおいてオーディオファイルの頭出しを行う音声サーチ制御のために、コンピュータを、次の各手段として機能させるプログラムに構成したものである。すなわち、マルチセッションディスクのあるセッションにおいてオーディオファイル頭出しのための音声サーチ動作中に、セッション最後のオーディオファイルのサーチが終了したかを判断する手段、前記判断でサーチ終了のときに、ピックアップを所要の強制移動時間だけディスク半径方向に沿って強制移動させる手段、および、前記強制移動の終了後に、別フォーマットの次セッションでサーチ動作を再開する手段として機能させるプログラムに構成されている。
【００２０】
上記の第１の解決手段によれば、セッション最後のオーディオファイルのサーチ終了後に、ピックアップを所要の強制移動時間にわたってディスク半径方向に沿って強制移動させるので、セッション間ギャップを確実に飛び越えさせることができる。この場合に、強制移動時間については、セッション間ギャップに相当するトラック数を飛び越えさせるのに要する時間に基づいて定めればよい。このようにピックアップをセッション間ギャップで確実に飛び越えさせ、ピックアップを次セッションに確実に移動させた上で、次セッションでオーディオファイルサーチ動作を再開するので、次セッションでの先頭のオーディオファイルの頭出しを正確に行うことができる。この場合に、セッション間ギャップを飛び越えさせるピックアップの強制移動中は、データ出力は中断されるので、セッション間ギャップのデータは再生出力されることがなく、セッション間ギャップを異常音なしに飛び越えさせることができる。
【００２１】
ところで、セッションが２つで、セッション間ギャップが単一のマルチセッションディスクでは、強制移動時間は１つに定まるが、セッションが３つ以上あるマルチセッションディスクではセッション間ギャップが２以上となる。それらのセッション間ギャップは、ディスク半径方向で異なる位置にあり、半径方向外方のセッション間ギャップほど、そのギャップが小さくなり、ギャップ飛び越えに要する時間も半径方向外方ほど短くなる傾向がある。もし、セッション間ギャップの半径方向位置にかかわらずに強制移動時間を一定に定めるとなると、余裕（マージン）を見込む必要から最内周のセッション間ギャップを飛び越えさせるのに必要な時間を確保する必要がある。それはそれで１つの技術であり、上記第１の解決手段の発明の一環をなすものではある。しかし、その結果は、次のような課題を残すことになる。つまり、その一定の強制移動時間は、外周側のセッション間ギャップでは、ギャップ飛び越えに要する時間よりも長いものとなってしまう。換言すれば、ギャップ飛び越えに必要以上の時間を費やすことになる。
【００２２】
このような課題にも配慮して、その解決を図るのが次に述べる第２の解決手段である。
【００２３】
第２の解決手段として、本発明によるマルチセッションディスクの音声サーチ制御装置は、あるセッションでのサーチ動作中に、セッション最後のオーディオファイルのサーチが終了したかを判断する手段と、前記判断でサーチ終了のときに、前記ディスク上におけるピックアップの位置情報に基づいて、その位置情報に対応する最適の強制移動時間を求める手段と、前記ピックアップを前記最適の強制移動時間だけディスク半径方向に沿って強制移動させる手段と、前記強制移動の終了後に、別フォーマットの次セッションでサーチ動作を再開する手段とを備えたものとして構成されている。
【００２４】
上記の第２の解決手段は、音声サーチ制御方法として、次のように展開することが可能である。本発明によるマルチセッションディスクの音声サーチ制御方法は、あるセッションでのサーチ動作中に、セッション最後のオーディオファイルのサーチが終了したかを判断するステップと、前記判断でサーチ終了のときに、前記ディスク上におけるピックアップの位置情報に基づいて、その位置情報に対応する最適の強制移動時間を求めるステップと、前記ピックアップを前記最適の強制移動時間だけディスク半径方向に沿って強制移動させるステップと、前記強制移動の終了後に、別フォーマットの次セッションでサーチ動作を再開するステップとを含むものである。
【００２５】
上記の第２の解決手段は、コンピュータ読み取り可能な記録媒体として、次のように展開することが可能である。本発明によるマルチセッションディスクの音声サーチ制御用記録媒体は、コンピュータに、次の各ステップを実行させるためのプログラムを記録したものである。すなわち、マルチセッションディスクのあるセッションにおいてオーディオファイル頭出しのための音声サーチ動作中に、セッション最後のオーディオファイルのサーチが終了したかを判断するステップと、前記判断でサーチ終了のときに、前記ディスク上におけるピックアップの位置情報に基づいて、その位置情報に対応する最適の強制移動時間を求めるステップと、前記ピックアップを前記最適の強制移動時間だけディスク半径方向に沿って強制移動させるステップと、前記強制移動の終了後に、別フォーマットの次セッションでサーチ動作を再開するステップとを実行させるためのプログラムを記録したものである。
【００２６】
上記の第２の解決手段は、音声サーチ制御用プログラムとして、次のように展開することが可能である。本発明によるマルチセッションディスクの音声サーチ制御用プログラムは、マルチセッションディスクにおいてオーディオファイルの頭出しを行う音声サーチ制御のために、コンピュータを、次の各手段として機能させるプログラムに構成したものである。すなわち、マルチセッションディスクのあるセッションにおいてオーディオファイル頭出しのための音声サーチ動作中に、セッション最後のオーディオファイルのサーチが終了したかを判断する手段、前記判断でサーチ終了のときに、前記ディスク上におけるピックアップの位置情報に基づいて、その位置情報に対応する最適の強制移動時間を求める手段、前記ピックアップを前記最適の強制移動時間だけディスク半径方向に沿って強制移動させる手段、および、前記強制移動の終了後に、別フォーマットの次セッションでサーチ動作を再開する手段として機能させるプログラムに構成されている。
【００２７】
上記の第２の解決手段によれば、ピックアップの位置情報に基づいて強制移動時間を最適化できるので、セッション間ギャップがディスクの半径方向のどの位置にあるかにかかわらず、そのセッション間ギャップの飛び越えに要する必要最小限の時間をもって飛び越えさせることができる。すなわち、次セッションでの頭出しをより高速化することができる。もちろん、異常音なしのセッション間ギャップ飛び越えの効果も確保される。
【００２８】
なお、上記において、ディスク上におけるピックアップの位置情報に対応する強制移動時間の求め方については、ディスク半径方向の位置と、その位置に最適な強制移動時間との対応関係を示した強制移動時間テーブルを利用するのでもよいし、あるいはこのようなテーブルは用いずに、所要の関数またはプログラムを利用して演算によって求めるようにしてもよい。
【００２９】
ところで、ピックアップのセッション間ギャップの飛び越えの制御を強制移動時間基準で行うときは、次のような課題を残すことになる。つまり、ギャップ飛び越えについて厳密には、半径方向移動距離がより重要である。ギャップとは、すなわち、半径方向での寸法に他ならないからである。半径方向移動距離と強制移動時間とは一応比例的な関係にある。しかし、ピックアップの駆動モータやディスクドライブのメカニズムの機種によっては、半径方向移動距離と強制移動時間との間の比例的な関係における比例係数にばらつきが生じる。したがって、メカニズムに応じて強制移動時間の調整（合わせ込み）を行う必要が生じる。これは、装置の製造において、工数増を招き、製品のコストアップを招く要因になる。
【００３０】
このような課題にも配慮して、その解決を図るのが次に述べる第３の解決手段である。
【００３１】
第３の解決手段として、本発明によるマルチセッションディスクの音声サーチ制御装置は、あるセッションでのサーチ動作中に、セッション最後のオーディオファイルのサーチが終了したかを判断する手段と、前記判断でサーチ終了のときに、ピックアップを所要のジャンプトラック数だけディスク半径方向に沿ってトラックジャンプさせる手段と、前記トラックジャンプの終了後に、別フォーマットの次セッションでサーチ動作を再開する手段とを備えたものとして構成されている。
【００３２】
上記の第３の解決手段は、音声サーチ制御方法として、次のように展開することが可能である。本発明によるマルチセッションディスクの音声サーチ制御方法は、あるセッションでのサーチ動作中に、セッション最後のオーディオファイルのサーチが終了したかを判断するステップと、前記判断でサーチ終了のときに、ピックアップを所要のジャンプトラック数だけディスク半径方向に沿ってトラックジャンプさせるステップと、前記トラックジャンプの終了後に、別フォーマットの次セッションでサーチ動作を再開するステップとを含むものである。
【００３３】
上記の第３の解決手段は、コンピュータ読み取り可能な記録媒体として、次のように展開することが可能である。本発明によるマルチセッションディスクの音声サーチ制御用記録媒体は、コンピュータに、次の各ステップを実行させるためのプログラムを記録したものである。すなわち、マルチセッションディスクのあるセッションにおいてオーディオファイル頭出しのための音声サーチ動作中に、セッション最後のオーディオファイルのサーチが終了したかを判断するステップと、前記判断でサーチ終了のときに、ピックアップを所要のジャンプトラック数だけディスク半径方向に沿ってトラックジャンプさせるステップと、前記トラックジャンプの終了後に、別フォーマットの次セッションでサーチ動作を再開するステップとを実行させるためのプログラムを記録したものである。
【００３４】
上記の第３の解決手段は、音声サーチ制御用プログラムとして、次のように展開することが可能である。本発明によるマルチセッションディスクの音声サーチ制御用プログラムは、マルチセッションディスクにおいてオーディオファイルの頭出しを行う音声サーチ制御のために、コンピュータを、次の各手段として機能させるプログラムに構成したものである。すなわち、マルチセッションディスクのあるセッションにおいてオーディオファイル頭出しのための音声サーチ動作中に、セッション最後のオーディオファイルのサーチが終了したかを判断する手段、前記判断でサーチ終了のときに、ピックアップを所要のジャンプトラック数だけディスク半径方向に沿ってトラックジャンプさせる手段、および、前記トラックジャンプの終了後に、別フォーマットの次セッションでサーチ動作を再開する手段として機能させるプログラムに構成されている。
【００３５】
上記の第３の解決手段によれば、セッション最後のオーディオファイルのサーチ終了後に、ピックアップを所要のジャンプトラック数にわたってディスク半径方向に沿ってトラックジャンプさせるので、セッション間ギャップを確実に飛び越えさせることができる。このようにピックアップをセッション間ギャップで確実に飛び越えさせ、ピックアップを次セッションに確実に移動させた上で、次セッションでオーディオファイルサーチ動作を再開するので、次セッションでの先頭のオーディオファイルの頭出しを正確に行うことができる。この場合に、セッション間ギャップを飛び越えさせるピックアップのトラックジャンプ中は、データ出力は中断されるので、セッション間ギャップのデータは再生出力されることがなく、セッション間ギャップを異常音なしに飛び越えさせることができる。
【００３６】
さらに、次の効果を奏する。すなわち、ピックアップのセッション間ギャップの飛び越えの制御について、ジャンプトラック数基準で制御している。ジャンプトラック数は半径方向移動距離を正確に反映し、しかも、ピックアップの駆動モータやディスクドライブのメカニズムの機種によって影響を受けない。したがって、メカニズムに応じた調整（合わせ込み）は不要である。これにより、装置の製造における工数削減、ひいては製品のコストダウンを図ることができる。
【００３７】
ところで、セッションが２つで、セッション間ギャップが単一のマルチセッションディスクでは、ジャンプトラック数は１つに定まるが、セッションが３つ以上あるマルチセッションディスクではセッション間ギャップが２以上となる。それらのセッション間ギャップは、ディスク半径方向で異なる位置にあり、半径方向外方のセッション間ギャップほど、そのギャップが小さくなり、ギャップ飛び越えに要するジャンプトラック数も半径方向外方ほど少なくなる傾向がある。もし、セッション間ギャップの半径方向位置にかかわらずにジャンプトラック数を一定に定めるとなると、余裕（マージン）を見込む必要から最内周のセッション間ギャップを飛び越えさせるのに必要なジャンプトラック数を確保する必要がある。それはそれで１つの技術であり、上記第３の解決手段の発明の一環をなすものではある。しかし、その結果は、次のような課題を残すことになる。つまり、その一定のジャンプトラック数は、外周側のセッション間ギャップでは、ギャップ飛び越えに要するトラック数よりも多いものとなってしまう。換言すれば、ギャップ飛び越えに必要以上の時間を費やすことになる。
【００３８】
このような課題にも配慮して、その解決を図るのが次に述べる第４の解決手段である。
【００３９】
第４の解決手段として、本発明によるマルチセッションディスクの音声サーチ制御装置は、あるセッションでのサーチ動作中に、セッション最後のオーディオファイルのサーチが終了したかを判断する手段と、前記判断でサーチ終了のときに、前記ディスク上におけるピックアップの位置情報に基づいて、その位置情報に対応する最適のジャンプトラック数を求める手段と、前記ピックアップを前記最適のジャンプトラック数だけディスク半径方向に沿ってトラックジャンプさせる手段と、前記トラックジャンプの終了後に、別フォーマットの次セッションでサーチ動作を再開する手段とを備えたものとして構成されている。
【００４０】
上記の第４の解決手段は、音声サーチ制御方法として、次のように展開することが可能である。本発明によるマルチセッションディスクの音声サーチ制御方法は、あるセッションでのサーチ動作中に、セッション最後のオーディオファイルのサーチが終了したかを判断するステップと、前記判断でサーチ終了のときに、前記ディスク上におけるピックアップの位置情報に基づいて、その位置情報に対応する最適のジャンプトラック数を求めるステップと、前記ピックアップを前記最適のジャンプトラック数だけディスク半径方向に沿ってトラックジャンプさせるステップと、前記トラックジャンプの終了後に、別フォーマットの次セッションでサーチ動作を再開するステップとを含むものである。
【００４１】
上記の第４の解決手段は、コンピュータ読み取り可能な記録媒体として、次のように展開することが可能である。本発明によるマルチセッションディスクの音声サーチ制御用記録媒体は、コンピュータに、次の各ステップを実行させるためのプログラムを記録したものである。すなわち、マルチセッションディスクのあるセッションにおいてオーディオファイル頭出しのための音声サーチ動作中に、セッション最後のオーディオファイルのサーチが終了したかを判断するステップと、前記判断でサーチ終了のときに、前記ディスク上におけるピックアップの位置情報に基づいて、その位置情報に対応する最適のジャンプトラック数を求めるステップと、前記ピックアップを前記最適のジャンプトラック数だけディスク半径方向に沿ってトラックジャンプさせるステップと、前記トラックジャンプの終了後に、別フォーマットの次セッションでサーチ動作を再開するステップとを実行させるためのプログラムを記録したものである。
【００４２】
上記の第４の解決手段は、音声サーチ制御用プログラムとして、次のように展開することが可能である。本発明によるマルチセッションディスクの音声サーチ制御用プログラムは、マルチセッションディスクにおいてオーディオファイルの頭出しを行う音声サーチ制御のために、コンピュータを、次の各手段として機能させるプログラムに構成したものである。すなわち、マルチセッションディスクのあるセッションにおいてオーディオファイル頭出しのための音声サーチ動作中に、セッション最後のオーディオファイルのサーチが終了したかを判断する手段、前記判断でサーチ終了のときに、前記ディスク上におけるピックアップの位置情報に基づいて、その位置情報に対応する最適のジャンプトラック数を求める手段、前記ピックアップを前記最適のジャンプトラック数だけディスク半径方向に沿ってトラックジャンプさせる手段、および、前記トラックジャンプの終了後に、別フォーマットの次セッションでサーチ動作を再開する手段として機能させるプログラムに構成されている。
【００４３】
上記の第４の解決手段によれば、ピックアップの位置情報に基づいてジャンプトラック数を最適化できるので、セッション間ギャップがディスクの半径方向のどの位置にあるかにかかわらず、そのセッション間ギャップの飛び越えに要する必要最小限のジャンプトラック数をもって飛び越えさせることができる。すなわち、次セッションでの頭出しをより高速化することができる。もちろん、異常音なしのセッション間ギャップ飛び越えの効果も確保される。
【００４４】
なお、上記において、ディスク上におけるピックアップの位置情報に対応するジャンプトラック数の求め方については、ディスク半径方向の位置と、その位置に最適なジャンプトラック数との対応関係を示したジャンプトラック数テーブルを利用するのでもよいし、あるいはこのようなテーブルは用いずに、所要の関数またはプログラムを利用して演算によって求めるようにしてもよい。
【００４５】
ところで、ジャンプトラック数基準のギャップ飛び越えの方式においては、セッション間ギャップ中にトラックの存在しないミラー面が存在するマルチセッションディスクが装填された場合には、前記ミラー面にはトラックがないゆえに、トラック数の検出が不可能で、ギャップ飛び越えに失敗することになる。
【００４６】
このような課題にも配慮して、その解決を図るのが次に述べる第５の解決手段である。
【００４７】
第５の解決手段として、本発明によるマルチセッションディスクの音声サーチ制御装置は、あるセッションでのサーチ動作中に、セッション最後のオーディオファイルのサーチが終了したかを判断する手段と、前記判断でサーチ終了のときに、ピックアップを所要のジャンプトラック数だけディスク半径方向に沿ってトラックジャンプさせる手段と、前記トラックジャンプが成功したかを判断する手段と、前記トラックジャンプの失敗のときに前記ピックアップを所要の強制移動時間だけディスク半径方向に沿って強制移動させる手段と、前記トラックジャンプの成功または前記強制移動の終了のときに、別フォーマットの次セッションでサーチ動作を再開する手段とを備えたものとして構成されている。
【００４８】
上記の第５の解決手段は、音声サーチ制御方法として、次のように展開することが可能である。本発明によるマルチセッションディスクの音声サーチ制御方法は、あるセッションでのサーチ動作中に、セッション最後のオーディオファイルのサーチが終了したかを判断するステップと、前記判断でサーチ終了のときに、ピックアップを所要のジャンプトラック数だけディスク半径方向に沿ってトラックジャンプさせるステップと、前記トラックジャンプが成功したかを判断するステップと、前記トラックジャンプの失敗のときに前記ピックアップを所要の強制移動時間だけディスク半径方向に沿って強制移動させるステップと、前記トラックジャンプの成功または前記強制移動の終了のときに、別フォーマットの次セッションでサーチ動作を再開するステップとを含むものである。
【００４９】
上記の第５の解決手段は、コンピュータ読み取り可能な記録媒体として、次のように展開することが可能である。本発明によるマルチセッションディスクの音声サーチ制御用記録媒体は、コンピュータに、次の各ステップを実行させるためのプログラムを記録したものである。すなわち、マルチセッションディスクのあるセッションにおいてオーディオファイル頭出しのための音声サーチ動作中に、セッション最後のオーディオファイルのサーチが終了したかを判断するステップと、前記判断でサーチ終了のときに、ピックアップを所要のジャンプトラック数だけディスク半径方向に沿ってトラックジャンプさせるステップと、前記トラックジャンプが成功したかを判断するステップと、前記トラックジャンプの失敗のときに前記ピックアップを所要の強制移動時間だけディスク半径方向に沿って強制移動させるステップと、前記トラックジャンプの成功または前記強制移動の終了のときに、別フォーマットの次セッションでサーチ動作を再開するステップとを実行させるためのプログラムを記録したものである。
【００５０】
上記の第５の解決手段は、音声サーチ制御用プログラムとして、次のように展開することが可能である。本発明によるマルチセッションディスクの音声サーチ制御用プログラムは、マルチセッションディスクにおいてオーディオファイルの頭出しを行う音声サーチ制御のために、コンピュータを、次の各手段として機能させるプログラムに構成したものである。すなわち、マルチセッションディスクのあるセッションにおいてオーディオファイル頭出しのための音声サーチ動作中に、セッション最後のオーディオファイルのサーチが終了したかを判断する手段、前記判断でサーチ終了のときに、ピックアップを所要のジャンプトラック数だけディスク半径方向に沿ってトラックジャンプさせる手段、前記トラックジャンプが成功したかを判断する手段、前記トラックジャンプの失敗のときに前記ピックアップを所要の強制移動時間だけディスク半径方向に沿って強制移動させる手段、および、前記トラックジャンプの成功または前記強制移動の終了のときに、別フォーマットの次セッションでサーチ動作を再開する手段として機能させるプログラムに構成されている。
【００５１】
これは、まず、上記第３の解決手段のジャンプトラック数基準のギャップ飛び越えを試み、それが失敗すれば、上記第１の解決手段の強制移動時間基準のギャップ飛び越えに移行する、といった２段構え方式としたものである。
【００５２】
上記の第５の解決手段によれば、セッション間ギャップ中にミラー面が存在するマルチセッションディスクが装填された場合に、ジャンプトラック数基準のギャップ飛び越えではギャップ飛び越えに失敗することになるが、強制移動時間基準のギャップ飛び越えに移行することにより、ミラー面を伴うディスクに対しても、セッション間ギャップを異常音なしに飛び越えさせることができる。装填されたディスクがミラー面を伴わないものである場合には、半径方向移動距離を正確に反映するジャンプトラック数基準のギャップ飛び越えが成功するので、メカニズムに応じた調整（合わせ込み）は不要となり、製品コストダウンの効果を奏する。
【００５３】
上記において、さらに、前記トラックジャンプの失敗のときに、前記トックジャンプのリトライ処理を行う手段を備えた構成とすれば、ディスク面の汚れや傷によるトラックジャンプ失敗を避けることが可能となり、高速なギャップ飛び越えをより確実化することができる。
【００５４】
また、第６の解決手段として、本発明によるマルチセッションディスクの音声サーチ制御装置は、あるセッションでのサーチ動作中に、セッション最後のオーディオファイルのサーチが終了したかを判断する手段と、前記判断でサーチ終了のときに、前記ディスク上におけるピックアップの位置情報に基づいて、その位置情報に対応する最適のジャンプトラック数を求める手段と、前記ピックアップを前記最適のジャンプトラック数だけディスク半径方向に沿ってトラックジャンプさせる手段と、前記トラックジャンプが成功したかを判断する手段と、前記トラックジャンプの失敗のときに、前記ディスク上におけるピックアップの位置情報に基づいて、その位置情報に対応する最適の強制移動時間を求める手段と、前記ピックアップを前記最適の強制移動時間だけディスク半径方向に沿って強制移動させる手段と、前記トラックジャンプの成功または前記強制移動の終了のときに、別フォーマットの次セッションでサーチ動作を再開する手段とを備えたものとして構成されている。
【００５５】
上記の第６の解決手段は、音声サーチ制御方法として、次のように展開することが可能である。本発明によるマルチセッションディスクの音声サーチ制御方法は、あるセッションでのサーチ動作中に、セッション最後のオーディオファイルのサーチが終了したかを判断するステップと、前記判断でサーチ終了のときに、前記ディスク上におけるピックアップの位置情報に基づいて、その位置情報に対応する最適のジャンプトラック数を求めるステップと、前記ピックアップを前記最適のジャンプトラック数だけディスク半径方向に沿ってトラックジャンプさせるステップと、前記トラックジャンプが成功したかを判断するステップと、前記トラックジャンプの失敗のときに、前記ディスク上におけるピックアップの位置情報に基づいて、その位置情報に対応する最適の強制移動時間を求めるステップと、前記ピックアップを前記最適の強制移動時間だけディスク半径方向に沿って強制移動させるステップと、前記トラックジャンプの成功または前記強制移動の終了のときに、別フォーマットの次セッションでサーチ動作を再開するステップとを含むものである。
【００５６】
上記の第６の解決手段は、コンピュータ読み取り可能な記録媒体として、次のように展開することが可能である。本発明によるマルチセッションディスクの音声サーチ制御用記録媒体は、コンピュータに、次の各ステップを実行させるためのプログラムを記録したものである。すなわち、マルチセッションディスクのあるセッションにおいてオーディオファイル頭出しのための音声サーチ動作中に、セッション最後のオーディオファイルのサーチが終了したかを判断するステップと、前記判断でサーチ終了のときに、前記ディスク上におけるピックアップの位置情報に基づいて、その位置情報に対応する最適のジャンプトラック数を求めるステップと、前記ピックアップを前記最適のジャンプトラック数だけディスク半径方向に沿ってトラックジャンプさせるステップと、前記トラックジャンプが成功したかを判断するステップと、前記トラックジャンプの失敗のときに、前記ディスク上におけるピックアップの位置情報に基づいて、その位置情報に対応する最適の強制移動時間を求めるステップと、前記ピックアップを前記最適の強制移動時間だけディスク半径方向に沿って強制移動させるステップと、前記トラックジャンプの成功または前記強制移動の終了のときに、別フォーマットの次セッションでサーチ動作を再開するステップとを実行させるためのプログラムを記録したものである。
【００５７】
上記の第６の解決手段は、音声サーチ制御用プログラムとして、次のように展開することが可能である。本発明によるマルチセッションディスクの音声サーチ制御用プログラムは、マルチセッションディスクにおいてオーディオファイルの頭出しを行う音声サーチ制御のために、コンピュータを、次の各手段として機能させるプログラムに構成したものである。すなわち、マルチセッションディスクのあるセッションにおいてオーディオファイル頭出しのための音声サーチ動作中に、セッション最後のオーディオファイルのサーチが終了したかを判断する手段、前記判断でサーチ終了のときに、前記ディスク上におけるピックアップの位置情報に基づいて、その位置情報に対応する最適のジャンプトラック数を求める手段、前記ピックアップを前記最適のジャンプトラック数だけディスク半径方向に沿ってトラックジャンプさせる手段、前記トラックジャンプが成功したかを判断する手段、前記トラックジャンプの失敗のときに、前記ディスク上におけるピックアップの位置情報に基づいて、その位置情報に対応する最適の強制移動時間を求める手段、前記ピックアップを前記最適の強制移動時間だけディスク半径方向に沿って強制移動させる手段、および、前記トラックジャンプの成功または前記強制移動の終了のときに、別フォーマットの次セッションでサーチ動作を再開する手段として機能させるプログラムに構成されている。
【００５８】
これは、まず、上記第４の解決手段の最適化されたジャンプトラック数基準のギャップ飛び越えを試み、それが失敗すれば、上記第２の解決手段の最適化された強制移動時間基準のギャップ飛び越えに移行する、といった２段構え方式としたものである。
【００５９】
上記の第６の解決手段によれば、セッション間ギャップ中にミラー面が存在するマルチセッションディスクが装填された場合に、最適化されたジャンプトラック数基準のギャップ飛び越えではギャップ飛び越えに失敗することになるが、最適化された強制移動時間基準のギャップ飛び越えに移行することにより、ミラー面を伴うディスクに対しても、セッション間ギャップを異常音なしに飛び越えさせることができる。この場合、ピックアップの位置情報に基づいて強制移動時間を最適化できるので、ミラー面を伴うセッション間ギャップがディスクの半径方向のどの位置にあるかにかかわらず、そのセッション間ギャップの飛び越えに要する必要最小限の時間で飛び越えさせるので、次セッションでの頭出しをより高速化することができる。もちろん、異常音なしのセッション間ギャップ飛び越えの効果も確保される。装填されたディスクがミラー面を伴わないものである場合には、半径方向移動距離を正確に反映する、しかも最適化されたジャンプトラック数基準のギャップ飛び越えが成功するので、次セッションでの頭出しをさらに高速化するとともに、メカニズムに応じた調整（合わせ込み）は不要となり、製品コストダウンの効果を奏する。
【００６０】
この場合も、さらに、前記トラックジャンプの失敗のときに、前記トックジャンプのリトライ処理を行う手段を備えた構成とすれば、ディスク面の汚れや傷によるトラックジャンプ失敗を避けることが可能となり、高速なギャップ飛び越えをより確実化することができる。
【００６１】
また、上記第３の解決手段の最適化は不問のジャンプトラック数基準のギャップ飛び越えを試み、それが失敗すれば、上記第２の解決手段の最適化された強制移動時間基準のギャップ飛び越えに移行する、といった２段構え方式もあり、それが第７の解決手段である。
【００６２】
また、上記第４の解決手段の最適化されたジャンプトラック数基準のギャップ飛び越えを試み、それが失敗すれば、上記第１の解決手段の最適化は不問の強制移動時間基準のギャップ飛び越えに移行する、といった２段構え方式もあり、それが第８の解決手段である。
【００６３】
この第７の解決手段、第８の解決手段にも、それぞれ、音声サーチ制御装置、音声サーチ制御方法、音声サーチ制御用記録媒体および音声サーチ制御用プログラムがある。
【００６４】
なお、上記のいずれの解決手段においても、ピックアップのディスク半径方向に沿った強制移動またはトラックジャンプについては、半径方向外方、半径方向内方のいずれであってもよい。
【００６５】
適用するディスク装置としては、光ディスク装置、光磁気ディスク装置、磁気ディスク装置のいずれであってもよく、装置形態としては、再生装置、記録再生装置のいずれでもよい。
【００６６】
【発明の実施の形態】
以下、本発明の実施の形態について、図面を参照しながら説明する。
【００６７】
本発明の実施の形態の光ディスク再生装置は、従来技術と同様に、図１３に示すようなブロック構成になっている。図１３において、１０は光ディスク、１１は光ピックアップ、１２は光ピックアップドライバ、１３はサーボＬＳＩ、１４はマイクロコンピュータ（マイコン）、１５は圧縮オーディオデコーダ、１６はメモリである。
【００６８】
（実施の形態１）
以下、図１に示すフローチャートに従って、本発明の実施の形態１における音声サーチ制御技術を説明する。ここでは、すでに、音声サーチ動作が開始されているものとする。音声サーチ動作では、音声または時間情報を表示しながら、順方向または逆方向に向けて高速に頭出しが行れる。
【００６９】
ステップＳ１１において、マイコン１４は、現在再生中のセッションにおいて光ピックアップ１１が最後の圧縮オーディオファイル（曲）の終端に到達したかどうかを判断し、到達するのを待ってステップＳ１２に進む。
【００７０】
次いで、ステップＳ１２において、光ピックアップ１１の強制移動時間Ｔをマイコン１４にセットする。
【００７１】
次いで、ステップＳ１３において、マイコン１４からサーボＬＳＩ１３に対して指令を与え、光ピックアップ１１の強制移動の処理を起動する。
【００７２】
次いで、ステップＳ１４において、セットした強制移動時間Ｔまでのカウントアップが終了したかのチェックを通じて強制移動が終了したか否かを判断し、その終了を待ってステップＳ１５に進む。
【００７３】
次いで、ステップＳ１５において、光ピックアップ１１を次セッションの先頭の曲頭に移動し、さらに、ステップＳ１６から、音声サーチ動作の再開（継続）を行う。
【００７４】
本実施の形態の音声サーチ制御技術によれば、セッション最後の圧縮オーディオファイルのサーチ終了後に、光ピックアップを一定の強制移動時間Ｔにわたってディスク半径方向に沿って強制移動させることにより、次セッションの曲先頭頭出しを正確に行うことができる。この場合に、光ピックアップの強制移動中は、データ出力は中断されるので、セッション間ギャップのデータは再生出力されることがなく、セッション間ギャップを異常音なしに飛び越えることができる。
【００７５】
（実施の形態２）
次に、本発明の実施の形態２における音声サーチ制御技術について説明する。
【００７６】
上記の実施の形態１の音声サーチ制御技術では、光ピックアップの強制移動時間Ｔは１つのみの設定であることから、セッションが３つ以上でセッション間ギャップが２つ以上あるマルチセッションディスクでは、複数のセッション間ギャップのうち最大ギャップの飛び越えに要するとあらかじめ判明している時間を強制移動時間Ｔと設定する必要がある。すなわち、余裕（マージン）を見込む必要がある。しかし、光ディスクの半径方向外方のセッション間ギャップほど、そのギャップが小さくなり、ギャップ飛び越えに要する時間も半径方向外方ほど短くてすむはずである。一定に定められた強制移動時間Ｔでは、ギャップ飛び越えに要する時間よりも長いものとなってしまう。換言すれば、ギャップ飛び越えに必要以上の時間を費やすことになる。
【００７７】
本発明の実施の形態２は、実施の形態１に見られるこのような課題にも配慮して、その解決を図るものである。
【００７８】
本実施の形態２においては、マイコン１４は、光ディスク半径方向の位置と、その位置に最適な強制移動時間との対応関係を示した強制移動時間テーブルを内蔵している。
【００７９】
以下、図２に示すフローチャートに従って、本発明の実施の形態２における音声サーチ制御技術を説明する。
【００８０】
ステップＳ２１において、マイコン１４は、現在再生中のセッションにおいて光ピックアップ１１が最後の圧縮オーディオファイルの終端に到達したかどうかを判断し、到達するのを待ってステップＳ２２に進む。
【００８１】
次いで、ステップＳ２２において、光ピックアップ１１の現在位置の情報Ｐｉを取得し、マイコン１４に一時記憶する。
【００８２】
次いで、ステップＳ２３において、上記で記憶した位置情報Ｐｉを基に、あらかじめマイコン１４に内蔵させておいた強制移動時間テーブルを検索し、最適な値の強制移動時間Ｔｉを求め、さらに、ステップＳ２４において、その最適な強制移動時間Ｔｉをマイコン１４にセットする。
【００８３】
次いで、ステップＳ２５において、マイコン１４からサーボＬＳＩ１３に対して指令を与え、光ピックアップ１１の強制移動の処理を起動する。
【００８４】
次いで、ステップＳ２６において、セットした最適な強制移動時間Ｔｉまでのカウントアップが終了したかのチェックを通じて強制移動が終了したか否かを判断し、その終了を待ってステップＳ２７に進む。
【００８５】
次いで、ステップＳ２７において、光ピックアップ１１を次セッションの先頭の曲頭に移動し、さらに、ステップＳ２８から、音声サーチ動作の再開（継続）を行う。
【００８６】
本実施の形態の音声サーチ制御技術によれば、実施の形態１による効果に加えて、光ピックアップ１１の位置情報Ｐｉに基づいて強制移動時間Ｔｉを最適化できるので、セッション間ギャップが光ディスクの半径方向のどの位置にあるかにかかわらず、そのセッション間ギャップの飛び越えに要する必要最小限の時間をもって飛び越えすることができる。すなわち、次セッションでの頭出しをより高速化することができる。
【００８７】
（実施の形態３）
次に、本発明の実施の形態３における音声サーチ制御技術について説明する。
【００８８】
上記の実施の形態１の音声サーチ制御技術では、光ピックアップのセッション間ギャップの飛び越えの制御については、強制移動時間基準で制御している。ところが、ギャップ飛び越えについて厳密には、半径方向移動距離がより重要である。ギャップとは、すなわち、半径方向での寸法に他ならないからである。半径方向移動距離と強制移動時間とは一応比例的な関係にある。しかし、光ピックアップの駆動モータや光ディスクドライブのメカニズムの機種によっては、半径方向移動距離と強制移動時間との間の比例的な関係における比例係数にばらつきがある。したがって、メカニズムに応じて強制移動時間の調整（合わせ込み）を行う必要がある。これは、装置の製造において、工数増を招き、製品のコストアップを招く要因になる。
【００８９】
本発明の実施の形態３は、実施の形態１に見られるこのような課題にも配慮して、その解決を図るものである。
【００９０】
以下、図３に示すフローチャートに従って、本発明の実施の形態３における音声サーチ制御技術を説明する。
【００９１】
ステップＳ３１において、マイコン１４は、現在再生中のセッションにおいて光ピックアップ１１が最後の圧縮オーディオファイルの終端に到達したかどうかを判断し、到達するのを待ってステップＳ３２に進む。
【００９２】
次いで、ステップＳ３２において、光ピックアップ１１のジャンプトラック数Ｎをマイコン１４にセットする。
【００９３】
次いで、ステップＳ３３において、マイコン１４からサーボＬＳＩ１３に対して指令を与え、光ピックアップ１１のトラックジャンプの処理を起動する。
【００９４】
次いで、ステップＳ３４において、セットしたジャンプトラック数Ｎまでのカウントアップが終了したかのチェックを通じてトラックジャンプが終了したか否かを判断し、その終了を待ってステップＳ３５に進む。
【００９５】
次いで、ステップＳ３５において、光ピックアップ１１を次セッションの先頭の曲頭に移動し、さらに、ステップＳ１６から、音声サーチ動作の再開（継続）を行う。
【００９６】
本実施の形態の音声サーチ制御技術によれば、実施の形態１による効果に加えて、次のような効果を奏する。すなわち、光ピックアップのセッション間ギャップの飛び越えの制御について、ジャンプトラック数基準で制御している。ジャンプトラック数は半径方向移動距離を正確に反映し、しかも、光ピックアップの駆動モータや光ディスクドライブのメカニズムの機種によって影響を受けない。したがって、メカニズムに応じた調整（合わせ込み）は不要である。これにより、装置の製造における工数削減、ひいては製品のコストダウンを図ることができる。
【００９７】
（実施の形態４）
次に、本発明の実施の形態４における音声サーチ制御技術について説明する。
【００９８】
上記の実施の形態３の音声サーチ制御技術では、光ピックアップのジャンプトラック数Ｎは１つのみの設定であることから、複数のセッション間ギャップのうち最大ギャップの飛び越えに要するとあらかじめ判明しているトラック数をジャンプトラック数Ｎと設定している。すなわち、余裕（マージン）を見込んでいる。しかし、光ディスクの半径方向外方のセッション間ギャップほど、そのギャップが小さくなり、ギャップ飛び越えに要するジャンプトラック数も半径方向外方ほど少なくてすむはずである。同一中心角当たりの周長つまりはデータ数が半径方向外方ほど大きくなるからである。実施の形態３の場合の一定に定められたジャンプトラック数Ｎでは、ギャップ飛び越えに要するトラック数よりも多いものとなってしまう。換言すれば、ギャップ飛び越えに必要以上の時間を費やすことになる。
【００９９】
本発明の実施の形態４は、実施の形態３に見られるこのような課題にも配慮して、その解決を図るものである。
【０１００】
本実施の形態４においては、マイコン１４は、光ディスク半径方向の位置と、その位置に最適なジャンプトラック数との対応関係を示したジャンプトラック数テーブルを内蔵している。
【０１０１】
以下、図４に示すフローチャートに従って、本発明の実施の形態４における音声サーチ制御技術を説明する。
【０１０２】
ステップＳ４１において、マイコン１４は、現在再生中のセッションにおいて光ピックアップ１１が最後の圧縮オーディオファイルの終端に到達したかどうかを判断し、到達するのを待ってステップＳ４２に進む。
【０１０３】
次いで、ステップＳ４２において、光ピックアップ１１の現在位置の情報Ｐｉを取得し、マイコン１４に一時記憶する。
【０１０４】
次いで、ステップＳ４３において、上記で記憶した位置情報Ｐｉを基に、あらかじめマイコン１４に内蔵させておいたジャンプトラック数テーブルを検索し、最適な値のジャンプトラック数Ｎｉを求め、さらに、ステップＳ４４において、その最適なジャンプトラック数Ｎｉをマイコン１４にセットする。
【０１０５】
次いで、ステップＳ４５において、マイコン１４からサーボＬＳＩ１３に対して指令を与え、光ピックアップ１１のトラックジャンプの処理を起動する。
【０１０６】
次いで、ステップＳ４６において、セットした最適なジャンプトラック数Ｎｉまでのカウントアップが終了したかのチェックを通じてトラックジャンプが終了したか否かを判断し、その終了を待ってステップＳ４７に進む。
【０１０７】
次いで、ステップＳ４７において、光ピックアップ１１を次セッションの先頭の曲頭に移動し、さらに、ステップＳ４８から、音声サーチ動作の再開（継続）を行う。
【０１０８】
本実施の形態の音声サーチ制御技術によれば、光ピックアップ１１の位置情報Ｐｉに基づいてジャンプトラック数Ｎｉを最適化できるので、セッション間ギャップが光ディスクの半径方向のどの位置にあるかにかかわらず、そのセッション間ギャップの飛び越えに要する必要最小限のジャンプトラック数をもって飛び越えすることができる。すなわち、次セッションでの頭出しをより高速化することができる。もちろん、実施の形態３の場合と同様に、ジャンプトラック数についてはメカニズムに応じた調整（合わせ込み）は不要で、製造工数削減、ひいては製品のコストダウンを図ることができる。
【０１０９】
（実施の形態５）
次に、本発明の実施の形態５における音声サーチ制御技術について図５を使用して説明する。
【０１１０】
ステップＳ５１において、マイコン１４は、現在再生中のセッションにおいて光ピックアップ１１が最後の圧縮オーディオファイルの終端に到達したかどうかを判断し、到達するのを待ってステップＳ５２に進む。
【０１１１】
次いで、ステップＳ５２において、光ピックアップ１１の現在位置の情報Ｐｉを取得し、マイコン１４に一時記憶する。
【０１１２】
次いで、ステップＳ５３において、上記で記憶した位置情報Ｐｉを基に、あらかじめマイコン１４に内蔵させておいたジャンプトラック数テーブルを検索し、最適な値のジャンプトラック数Ｎｉを求め、さらに、ステップＳ５４において、その最適なジャンプトラック数Ｎｉをマイコン１４にセットする。
【０１１３】
次いで、ステップＳ５５において、マイコン１４からサーボＬＳＩ１３に対して指令を与え、光ピックアップ１１のトラックジャンプの処理を起動する。
【０１１４】
次いで、ステップＳ５６において、セットした最適なジャンプトラック数Ｎｉまでのカウントアップが終了したかのチェックを通じてトラックジャンプが終了したか否かを判断し、終了でなければステップＳ５７に進み、終了すればステップＳ６５に進む。
【０１１５】
次いで、ステップＳ５７において、トラックジャンプエラーかどうかを監視し、エラーでなければステップ５６に戻るが、エラーであればステップＳ５８に進んで、エラーリトライカウンタをインクリメント（＋１）し、その上でステップＳ５９に進んで、リトライカウンタが設定値（ｍａｘ）を超えたかを判断する。超えていなければ、ステップＳ５６に戻るが、トラックジャンプが終了しないままリトライカウンタが設定値（ｍａｘ）を超えたときは、ステップＳ６０に進む。
【０１１６】
セッション間ギャップ中にトラックのないミラー面が存在するマルチセッションディスクが装填されている場合には、ジャンプトラック数基準のギャップ飛び越えでは、トラックがないゆえにギャップ飛び越えに失敗するため、結局、ステップＳ５５→Ｓ５６→Ｓ５７→Ｓ５８→Ｓ５９→Ｓ６０へと移行することになる。装填されているマルチセッションディスクが装填セッション間ギャップ中にミラー面をもたないものである場合には、ステップＳ６０に進まずにステップＳ５６からステップＳ６５へ移行する可能性が高い。ミラー面をもたない場合でも、ディスク面に汚れや傷があると、ステップＳ６０に移行する場合がある。
【０１１７】
次いで、ステップＳ６０において、光ピックアップ１１の現在位置の情報Ｐｉを取得し、マイコン１４に一時記憶する。
【０１１８】
次いで、ステップＳ６１において、上記で記憶した位置情報Ｐｉを基に、あらかじめマイコン１４に内蔵させておいた強制移動時間テーブルを検索し、最適な値の強制移動時間Ｔｉを求め、さらに、ステップＳ６２において、その最適な強制移動時間Ｔｉをマイコン１４にセットする。
【０１１９】
次いで、ステップＳ６３において、マイコン１４からサーボＬＳＩ１３に対して指令を与え、光ピックアップ１１の強制移動の処理を起動する。
【０１２０】
次いで、ステップＳ６４において、セットした最適な強制移動時間Ｔｉまでのカウントアップが終了したかのチェックを通じて強制移動が終了したか否かを判断し、その終了を待ってステップＳ６５に進む。このステップＳ６５には、ステップＳ５５でトラックジャンプが成功してステップＳ５６の判断が肯定的となった場合にも移行先となっている。
【０１２１】
次いで、ステップＳ６５において、光ピックアップ１１を次セッションの先頭の曲頭に移動し、さらに、ステップＳ６６から、音声サーチ動作の再開（継続）を行う。
【０１２２】
本実施の形態の音声サーチ制御技術によれば、セッション間ギャップ中にミラー面が存在するマルチセッションディスクが装填された場合に、ジャンプトラック数基準のギャップ飛び越えではギャップ飛び越えに失敗することになるが、強制移動時間基準のギャップ飛び越えに移行することにより、ミラー面を伴うディスクに対しても、セッション間ギャップを異常音なしに飛び越えさせることができる。そして、装填されたディスクがミラー面を伴わないものである場合には、半径方向移動距離を正確に反映するジャンプトラック数基準のギャップ飛び越えが成功するので、メカニズムに応じた調整（合わせ込み）は不要となり、製品コストダウンの効果を奏する。
【０１２３】
（実施の形態６）
図７および図８は本発明の実施の形態６における音声サーチ制御技術におけるフローチャートである。この実施の形態６は、実施の形態３の場合の最適化は不問のジャンプトラック数基準のギャップ飛び越えを試み、それが失敗すれば、実施の形態１の場合の最適化は不問の強制移動時間基準のギャップ飛び越えに移行する、といった２段構え方式になっている。
【０１２４】
図７では、図５を基に、図５のピックアップの位置情報Ｐｉの取得のステップＳ５２と、対応する最適なジャンプトラック数Ｎｉの取得のステップＳ５３が省略され、ステップＳ５４ａ，Ｓ５６ａではＮｉに代えてＮを用いている。
【０１２５】
図８では、図６を基に、図６のピックアップの位置情報Ｐｉの取得のステップＳ６０と、対応する最適な強制移動時間Ｔｉの取得のステップＳ６１が省略され、ステップＳ６２ａ，６４ａではＴｉに代えてＴを用いている。
【０１２６】
（実施の形態７）
図９および図１０は本発明の実施の形態７における音声サーチ制御技術におけるフローチャートである。この実施の形態７は、実施の形態３の場合の最適化は不問のジャンプトラック数基準のギャップ飛び越えを試み、それが失敗すれば、実施の形態２の場合の最適化された強制移動時間基準のギャップ飛び越えに移行する、といった２段構え方式になっている。
【０１２７】
図９では、図５を基に、図５のステップＳ５２，Ｓ５３が省略され、ステップＳ５４ａ，Ｓ５６ａではＮｉに代えてＮを用いている。
【０１２８】
図１０は、図６と同じである。
【０１２９】
（実施の形態８）
図１１および図１２は本発明の実施の形態８における音声サーチ制御技術におけるフローチャートである。この実施の形態８は、実施の形態４の場合の最適化されたジャンプトラック数基準のギャップ飛び越えを試み、それが失敗すれば、実施の形態１の場合の最適化は不問の強制移動時間基準のギャップ飛び越えに移行する、といった２段構え方式になっている。
【０１３０】
図１１は、図５と同じである。
【０１３１】
図１２では、図６を基に、図６のステップＳ６０，Ｓ６１が省略され、ステップＳ６２ａ，６４ａではＴｉに代えてＴを用いている。
【０１３２】
【発明の効果】
本発明にかかわる第１の解決手段によれば、セッション最後のオーディオファイルのサーチ終了後に、ピックアップを所要の強制移動時間にわたってディスク半径方向に沿って強制移動させるので、セッション間ギャップを確実にかつ異常音なしに飛び越えさせ、次セッションでの先頭のオーディオファイルの頭出しを正確に行うことができる。
【０１３３】
本発明にかかわる第２の解決手段によれば、ピックアップの位置情報に基づいて強制移動時間を最適化するので、セッション間ギャップがディスクの半径方向のどの位置にあるかにかかわらず、そのセッション間ギャップの飛び越えに要する必要最小限の時間をもって飛び越えさせ、次セッションでの頭出しをより高速化することができる。
【０１３４】
本発明にかかわる第３の解決手段によれば、第１の解決手段の場合と同様に、セッション間ギャップを確実にかつ異常音なしに飛び越えさせることができるとともに、半径方向移動距離を正確に反映するジャンプトラック数基準でギャップ飛び越えを制御するので、ピックアップの駆動モータやディスクドライブのメカニズムに応じた調整（合わせ込み）を不要化し、装置の製造における工数削減、ひいては製品のコストダウンを図ることができる。
【０１３５】
本発明にかかわる第４の解決手段によれば、ピックアップの位置情報に基づいてジャンプトラック数を最適化するので、セッション間ギャップがディスクの半径方向のどの位置にあるかにかかわらず、そのセッション間ギャップの飛び越えに要する必要最小限のジャンプトラック数をもって飛び越えさせることができ、次セッションでの頭出しをより高速化することができる。
【０１３６】
本発明にかかわる第５の解決手段によれば、ジャンプトラック数基準のギャップ飛び越えで失敗したときは、強制移動時間基準のギャップ飛び越えに移行するので、セッション間ギャップ中にミラー面が存在するマルチセッションディスクが装填された場合でも、セッション間ギャップを異常音なしに飛び越えさせることができる。
【０１３７】
本発明にかかわる第６の解決手段によれば、最適化されたジャンプトラック数基準のギャップ飛び越えで失敗したときは、最適化された強制移動時間基準のギャップ飛び越えに移行するので、セッション間ギャップ中にミラー面が存在するマルチセッションディスクが装填された場合でも、セッション間ギャップを異常音なしに飛び越えさせることができる。また、ミラー面を伴うセッション間ギャップがディスクの半径方向のどの位置にあるかにかかわらず、そのセッション間ギャップの飛び越えに要する必要最小限の時間で飛び越えさせることができ、次セッションでの頭出しをより高速化することができる。また、メカニズムに応じた調整（合わせ込み）も不要で、製品コストダウンの効果を奏する。
【図面の簡単な説明】
【図１】本発明の実施の形態１における音声サーチ制御技術を示すフローチャート
【図２】本発明の実施の形態２における音声サーチ制御技術を示すフローチャート
【図３】本発明の実施の形態３における音声サーチ制御技術を示すフローチャート
【図４】本発明の実施の形態４における音声サーチ制御技術を示すフローチャート
【図５】本発明の実施の形態５における音声サーチ制御技術を示すフローチャート
【図６】本発明の実施の形態５における音声サーチ制御技術を示すフローチャート（続き）
【図７】本発明の実施の形態６における音声サーチ制御技術を示すフローチャート
【図８】本発明の実施の形態６における音声サーチ制御技術を示すフローチャート（続き）
【図９】本発明の実施の形態７における音声サーチ制御技術を示すフローチャート
【図１０】本発明の実施の形態７における音声サーチ制御技術を示すフローチャート（続き）
【図１１】本発明の実施の形態８における音声サーチ制御技術を示すフローチャート
【図１２】本発明の実施の形態８における音声サーチ制御技術を示すフローチャート（続き）
【図１３】本発明の実施の形態および従来技術の光ディスク再生装置の構成を示すブロック図
【図１４】従来技術の音声サーチ制御技術によるサーチ処理を示すフローチャート
【図１５】マルチセッションディスクに記録されているデータの例を示す図
１０  光ディスク
１１  光ピックアップ
１２  光ピックアップドライバ
１３  サーボＬＳＩ
１４  マイクロコンピュータ
１５  圧縮オーディオデコーダ
１６  メモリ
Ｇ  セッション間ギャップ
ＲＯ  リードアウト領域
ＲＩ  リードイン領域
【図１】
2005025846.tif 000003
【図２】
2005025846.tif 000004
【図３】
2005025846.tif 000005
【図４】
2005025846.tif 000006
【図５】
2005025846.tif 000007
【図６】
2005025846.tif 000008
【図７】
2005025846.tif 000009
【図８】
2005025846.tif 000010
【図９】
2005025846.tif 000011
【図１０】
2005025846.tif 000012
【図１１】
2005025846.tif 000013
【図１２】
2005025846.tif 000014
【図１３】
2005025846.tif 000015
【図１４】
2005025846.tif 000016
【図１５】
2005025846.tif 000017